(57)【要約】【課題】不正な開封操作が極めて困難になり、不正開封があった場合は確実に判別することができる不正開封防止ヒンジキャップを提供する。【解決手段】上蓋３０のヒンジ２０に対向する側面に上蓋３０開閉用の操作鍔部３１を突設する。該操作鍔部３１に係合する不正開封防止帯４０を嵌合筒本体１０に設ける。不正開封防止帯４０に、前記操作鍔部３１の左右両端部上面に係合する一対の係合片４１を設ける。不正開封防止帯４０を嵌合筒本体１０から切り離す弱化ライン１１を嵌合筒本体１０に設ける。【選択図】図１
2006036285.tif 000002
【特許請求の範囲】
【請求項１】
容器首部の外側面に嵌合する嵌合筒本体と、該嵌合筒本体にヒンジを介して揺動自在に連結された上蓋とを有し、上蓋のヒンジに対向する側面に上蓋開閉用の操作鍔部を突設し、該操作鍔部に係合する不正開封防止帯を嵌合筒本体に設けた不正開封防止ヒンジキャップにおいて、前記不正開封防止帯は、前記操作鍔部の左右両端部上面に係合する一対の係合片を有し、該不正開封防止帯を前記嵌合筒本体から切り離す弱化ラインが嵌合筒本体に設けられたことを特徴とする不正開封防止ヒンジキャップ。
【請求項２】
前記不正開封防止帯は、前記操作鍔部の下面に重合する重合片と、操作鍔部の左右両端部の上面に係合する一対の係合片と、一方の係合片側から嵌合筒本体の円周方向に延長された摘み片とからなり、これら摘み片及び重合片が、弱化ラインを介して嵌合筒本体と一体に形成された請求項１記載の不正開封防止ヒンジキャップ。
【請求項３】
前記弱化ラインは、前記摘み片から一方の係合片にかけて略水平に切り離す第１の弱化ラインと、この第１の弱化ラインから該係合片に添って略垂直に切り離す第２の弱化ラインと、この第２の弱化ラインから他方の係合片にかけて略水平に切り離す第３の弱化ラインとで構成される請求項１又は２記載の不正開封防止ヒンジキャップ。
【請求項４】
前記不正開封防止帯の重合片は、該重合片上に重合した前記操作鍔部の外周縁部から下方の前記嵌合筒本体の外側面に至る傾斜面が設けられ、該重合片の上面に凹設された係止凹部に、前記操作鍔部の下面に設けられた係止凸部が係止するように設けた請求項１又は２記載の不正開封防止ヒンジキャップ。
【発明の詳細な説明】
【技術分野】
【０００１】
本発明は、不正開封の有無を判別する不正開封防止ヒンジキャップに係り、特に、不正な開封操作を困難にする不正開封防止ヒンジキャップに関する。
【背景技術】
【０００２】
食品その他の液体を収納した容器を施蓋するヒンジキャップにおいて、内容物の抜き取りや詰め替え悪戯等の目的で、不正に開封されたか否かを判別できるようにしたものが特許文献１乃至特許文献３に記載されている。これらのヒンジキャップは、いずれもキャップの外周に不正開封の目印となるシール部材を設け、このシール部材が破断されているか否かで不正開封の有無を判別できるようにしたものである。
【０００３】
すなわち、特許文献１に記載されたヒンジキャップは、キャップに形成した掛止部を栓本体の外周の一部に形成した帯片と栓本体との間に挿入し、この掛止部を上記帯片にその下側から当接させてこの帯片に掛止しておくことにより、キャップを開けたときに、上記帯片の少なくとも一端部側の栓本体連結部が掛止部による引上げ力で破断されるようにしたものである。この特許文献１によると、キャップを開けると帯片の少なくとも一端側の栓本体連結部が破断され、キャップが開けられたことを容易に知ることができる。
【０００４】
特許文献２のヒンジキャップは、キャップの外側部に開放用突起を設け、容器を施蓋しているキャップの開放用突起を囲繞するガードをキャップの側面に切り離し可能に設けたものである。この特許文献２によると、このガードを除去しなければキャップの開放用突起を持って開封することができないようにしているので、ガードの装着状態によって不正な開封の有無を判別できるものとなる。
【０００５】
特許文献３に記載のヒンジキャップは、キャップのヒンジと反対側に設けた押圧片の上面に係止突起を設けると共に、肉薄部を介してキャップに設けた係合片に、係止突起内面と係合する係合凸起を設けたものである。特許文献３によると、キャップを開封するには係合片が肉薄部から切り離されることになるので、この係合片の連結状態で不正な開封の有無を判別できるである。
【特許文献１】実公平２−２１４０６号公報
【特許文献２】実開平２−１０５８６１号公報
【特許文献３】実開平４−３５５５３号公報
【発明の開示】
【発明が解決しようとする課題】
【０００６】
各特許文献に記載されたヒンジキャップは、いずれも不正開封の目印となるシール部材が破断されているか否かで不正開封の有無を判別するものである。ところが、各特許文献に記載されたシール部材では、このシール部材を破らなくとも不正に開封できるものがあり、不正な開封行為を正確に判断できるものではなかった。
【０００７】
例えば、特許文献１では、シール部材として帯片を使用し、帯片と栓本体との間に挿入した掛止部の引上げ力で帯片が破断されるようにしているが、この掛止部と帯片との隙間に薄片等を挿入して係合状態を解除してしまうと、帯片が破断せずに開封できることになる。しかも、この種のヒンジキャップは、合成樹脂材で形成しているので、ある程度の可撓性を有しており、薄片等の挿入は比較的容易に行える。更に、このような不正手段で開封されると、帯片が破断しないばかりか、不正開封の形跡もほとんど残さないので、不正開封の確認がより困難になる不都合もある。
【０００８】
また、特許文献２におけるシール部材は、開放用突起を囲繞するガードを用いており、このガードを除去しなければキャップの開放用突起を持って開封することができないようにしている。しかしながら、キャップの開放用突起を持たなくてもキャップを開けることは可能である。例えば、キャップの隙間に薄片を差し込むことで容易に開封することができる。したがって、特許文献２のガードによっても、前記特許文献１と同様に、不正開封を正確に判断することが困難であり、しかも、不正手段で開封されても、不正開封の形跡もほとんど残さず、不正開封の確認がより困難になる不都合もある。
【０００９】
更に、特許文献３によると、シール部材として係合片を用い、この係合片が肉薄部から切り離されなければ不正な開封はないと判断するものである。ところが、係合片の材質は合成樹脂材であるから、ある程度の可撓性は有している。しかも、係合凸起から最も離れた位置に肉薄部を設けているので、肉薄部を切り離さずに、係合状態を解除することは、さほど困難な作業ではない。また、この特許文献３においても、前記特許文献１及び特許文献２の如く、不正手段で開封されても、不正開封の形跡がほとんど残らず、不正開封の確認がより困難になる。
【００１０】
このように、不正開封の有無を判別する目印となるシール部材を設け、このシール部材が破断されているか否かで不正開封の有無を判別できるようにしたものでは、不正開封を正確に判断することは難しく、しかも不正開封の作業自体がそれほど困難ではなかった。
【００１１】
また、特許文献２及び特許文献３の如く、不正開封を判別する為の破断容易なシール部材が、キャップの側面から突出する構造のものでは、ヒンジキャップ製造時において、このシール部材に加わる衝撃が大きく、破断容易なシール部材がこの製造過程で破損する虞もあった。
【００１２】
そこで本発明は、上述の課題を解消すべく創出されたもので、不正な開封操作が極めて困難になり、しかも、不正開封があった場合は確実に判別することができる不正開封防止ヒンジキャップの提供を目的とするものである。
【課題を解決するための手段】
【００１３】
本発明の第１の手段は、容器首部の外側面に嵌合する嵌合筒本体１０と、該嵌合筒本体１０にヒンジ２０を介して揺動自在に連結された上蓋３０とを有し、上蓋３０のヒンジ２０に対向する側面に上蓋３０開閉用の操作鍔部３１を突設し、該操作鍔部３１に係合する不正開封防止帯４０を嵌合筒本体１０に設けた不正開封防止ヒンジキャップにおいて、前記不正開封防止帯４０は、前記操作鍔部３１の左右両端部上面に係合する一対の係合片４１を有し、該不正開封防止帯４０を前記嵌合筒本体１０から切り離す弱化ライン１１が嵌合筒本体１０に設けられている。
【００１４】
第２の手段において、前記不正開封防止帯４０は、前記操作鍔部３１の下面に重合する重合片４２と、操作鍔部３１の左右両端部の上面に係合する一対の係合片４１と、一方の係合片４１側から嵌合筒本体１０の円周方向に延長された摘み片４３とからなり、これら摘み片４３及び重合片４２が、弱化ライン１１を介して嵌合筒本体１０と一体に形成したものである。
【００１５】
第３の手段における前記弱化ライン１１は、前記摘み片４３から一方の係合片４１にかけて略水平に切り離す第１の弱化ライン１１Ａと、この第１の弱化ライン１１Ａから該係合片４１に添って略垂直に切り離す第２の弱化ライン１１Ｂと、この第２の弱化ライン１１Ｂから他方の係合片４１にかけて略水平に切り離す第３の弱化ライン１１Ｃとで構成されている。
【００１６】
第４の手段において、前記不正開封防止帯４０の重合片４２は、該重合片４２上に重合した前記操作鍔部３１の外周縁部から下方の前記嵌合筒本体１０の外側面に至る傾斜面４２Ａが設けられ、該重合片４２の上面に凹設された係止凹部４２Ｂに、前記操作鍔部３１の下面に設けられた係止凸部３１Ａが係止するように設けたことを課題解消のための手段とする。
【発明の効果】
【００１７】
本発明の請求項１により、不正開封防止帯４０を弱化ライン１１に沿って切り離さなければ、上蓋３０を開封することができないものとなる。仮に、一方の係合片４１の係合状態を不正に解除しようとすると、残る他方の係合片４１の係合状態がより厳しくなる構造になっている。この結果、不正な開封操作を行おうとしても、極めて困難なものになる。
【００１８】
また、請求項２における不正開封防止帯４０によると、摘み片４３及び重合片４２が、弱化ライン１１を介して嵌合筒本体１０と一体に形成されているので、この弱化ライン１１を切り離すことなく上蓋３０を開封することはできない。しかも、弱化ライン１１が切り離されずに不正開封された場合は、前記係合片４１が破損する構造になっているので、不正開封の有無を的確に判断することができる。
【００１９】
更に、請求項３に記載の弱化ライン１１により、前記嵌合筒本体１０から、摘み片４３及び重合片４２を切り離す操作が容易になっている。この結果、通常の開封操作において、この不正開封防止帯４０の存在が開封操作の妨げになる虞はない。
【００２０】
そして、請求項４に記載の不正開封防止帯４０により、操作鍔部３１と不正開封防止帯４０とは極めて緊密に重合すると共に、不正開封防止帯４０の傾斜面４２Ａによって、操作鍔部３１への手掛りをなくしているので、従来のように薄片を挿入するだけで容易に不正開封できる構造ではなく、不正開封が極めて困難な操作になるものである。しかも、不正開封防止帯４０は、操作鍔部３１の下に位置し、操作鍔部３１の端部より突出しないので、キャップ製造時に不正開封防止帯４０が破損する虞もない。また、操作鍔部３１の幅を十分に広くすることができる。
【００２１】
このように、本発明によると、不正な開封操作が極めて困難になり、しかも、不正開封があった場合は確実に判別することができるといった優れた効果を奏するものである。
【発明を実施するための最良の形態】
【００２２】
本発明の最良の形態は、不正開封防止帯４０に、操作鍔部３１の左右両端部上面に係合する一対の係合片４１を有し、嵌合筒本体１０から切り離す弱化ライン１１を設ける。不正開封防止帯４０に、操作鍔部３１の下面に重合する重合片４２と、操作鍔部３１の左右両端部の上面に係合する一対の係合片４１と、一方の係合片４１側から嵌合筒本体１０の円周方向に延長された摘み片４３とを設ける。不正開封防止帯４０の重合片４２に、上蓋３０の操作鍔部３１の外周縁部から嵌合筒本体１０の外側面に至る傾斜面４２Ａを設けることで、当初の目的を達成するものである。
【実施例】
【００２３】
本発明キャップは、容器の首部に打栓するヒンジキャップである。このキャップは、嵌合筒本体１０、ヒンジ２０、上蓋３０を有し、該嵌合筒本体１０にヒンジ２０を介して上蓋３０を揺動自在に連結している（図２参照）。この上蓋３０のヒンジ２０に対向する側面に上蓋３０開閉用の操作鍔部３１を突設している。
【００２４】
操作鍔部３１は、上蓋３０の開閉操作の手がかりとなる部分で、開封前は、後述する不正開封防止帯４０の重合片４２上に重合するものである(図５、図７参照)。この操作鍔部３１には、係止凸部３１Ａと係合部３１Ｂとが設けられている。係止凸部３１Ａは、操作鍔部３１の下面に設けられた突起であり、後述する重合片４２の上面に凹設された係止凹部４２Ｂに係止する(図５参照)。一方、係合部３１Ｂは、操作鍔部３１の左右両端部に設けられた凹状を成す部分で、この係合部３１Ｂに後述する不正開封防止帯４０の係合片４１を係合せしめることになる(図３、図６参照)。
【００２５】
不正開封防止帯４０は、嵌合筒本体１０の外側面に設けられ、前述の操作鍔部３１と係合して不正開封を防止する(図１参照)。この不正開封防止帯４０は、前記操作鍔部３１の左右両端部上面に係合する一対の係合片４１と、前記操作鍔部３１に重合する重合片４２とを有している。そして、上蓋３０を施蓋して操作鍔部３１と重合片４２とを重ねたときに、前記操作鍔部３１の係止凸部３１Ａが重合片４２の係止凹部４２Ｂに係止する(図５参照)。このとき、左右の係合片４１が操作鍔部３１の係合部３１Ｂの上面に係合するものである(図７、図８参照)。図示の係合片４１は、係合部３１Ｂに係合し易くするために、操作鍔部３１との接触部分にテーパー４１Ａを形成している(図６参照)。また、係合した後の不正開封を困難にする為に、係合片４１の基端部を厚く形成している。そして、係合状態の係合片４１が操作鍔部３１と不正開封防止帯４０とで囲まれる状態になるように設けている(図７参照)。このように設けることで、係合片４１の不正開封をより困難にすることができる。
【００２６】
更に、係合した後の不正開封を困難にする為に、重合片４２の下面に傾斜面４２Ａが設けられている(図５、図６参照)。この傾斜面４２Ａは、重合片４２上に重合した前記操作鍔部３１の外周縁部から下方の前記嵌合筒本体１０の外側面に至るもので、操作鍔部３１に開封時の手がかりをなくす為に形成している。また、この傾斜面４２Ａを設けることで、重合片４２自体が厚くなり、極めて変形し難くなる利点もある。しかも、不正開封防止帯４０は、操作鍔部３１の端部より突出しないので、キャップ製造時に不正開封防止帯４０が破損する虞もなく、操作鍔部３１の幅Ｈを十分に広くすることができる(図８参照)。尚、図９は、不正開封防止帯４０を従来の如く、操作鍔部３１から突出させた場合の平面図である。このように不正開封防止帯４０が操作鍔部３１よりも突出すると、キャップ製造時や輸送時に不正開封防止帯４０が破損する虞が生じる。また、不正開封防止帯４０の幅Ｈに対して操作鍔部３１の幅が狭くなるので、上蓋３０の開封操作が不便になるものである。
【００２７】
不正開封防止帯４０には、更に、一方の係合片４１側から嵌合筒本体１０の円周方向に延長された摘み片４３を設けている(図１参照)。そして、これら摘み片４３と重合片４２とは、弱化ライン１１を介して嵌合筒本体１０と一体に形成されている(図４参照)。この弱化ライン１１は、嵌合筒本体１０に設けられ、不正開封防止帯４０を前記嵌合筒本体１０から切り離すものである。すなわち、弱化ライン１１は、次の３種類の弱化ライン１１で構成されている。第１の弱化ライン１１Ａは、摘み片４３から一方の係合片４１にかけて摘み片４３を略水平に切り離す。第２の弱化ライン１１Ｂは、第１の弱化ライン１１Ａの端部から側近の係合片４１に添って略垂直に切り離す。そして、第３の縦弱化ライン１１Ｃは、第２の弱化ライン１１Ｂから他方の係合片４１にかけて略水平に切り離すものである。このような弱化ライン１１Ａに沿って、摘み片４３や重合片４２を切り離さなければ上蓋３０を開封することができない構造になっている。また、弱化ライン１１Ａを３種類で形成したことで、この弱化ライン１１Ａを介して一体形成した不正開封防止帯４０が嵌合筒本体１０の側面に強固に固定されることになる。この結果、本発明キャップの製造時に、これら弱化ライン１１Ａに沿って不正開封防止帯４０が破損するような虞はなく、また、不正開封の為に、弱化ライン１１Ａに沿って不正開封防止帯４０を変形しようとしても困難になる。
【００２８】
本発明の正規の開封は、まず、図５に示す第１の弱化ライン１１Ａに沿って摘み片４３を略水平に切り離し、続いて第２の弱化ライン１１Ｂに沿って重合片４２を縦に切り離す。最後に、第３の縦弱化ライン１１Ｃに沿って重合片４２を水平に切離し、操作鍔部３１から重合片４２を離した後、操作鍔部３１に指を掛けて上蓋３０を開封するものである。
【００２９】
図示例の嵌合筒本体１０には、インナーリング１２が形成され、このインナーリング１２を容器の口部内に挿入する(図２参照)。更にインナーング１２の内側にスコア１３が形成されると共に、スコア１３破断用のタブ１４が設けられ、このタブ１４を引っ張ることによりスコア１３が破断される。またインナーリング１２の上面側には、スコア１３を取り囲むように内容液注出用の注出筒１５が形成されている。また、図示の上蓋３０は、天板３２と天板３２の周縁から垂下する側壁３３とから成る。そして、天板３２の内面から下方にシール用のリング状突起３４が形成されている。上蓋３０を閉じると、このリング状突起３４が注出筒１５の内面に密着する。
【００３０】
尚、本発明における図示例の各構成は、本発明の一実施例にすぎず、嵌合筒本体１０、ヒンジ２０、上蓋３０の形状、寸法等の設計変更は自由である。また、操作鍔部３１や不正開封防止帯４０等の形状や構造は図示例に限定されるものではなく、本発明の要旨に基づき現在知られている技術範囲で自由に変更することができるものである。
【図面の簡単な説明】
【００３１】
【図１】本発明におけるヒンジキャップの一実施例を示す平面図である。
【図２】本発明におけるヒンジキャップの一実施例を示す側断面図である。
【図３】本発明におけるヒンジキャップの一実施例を示す底面図である。
【図４】本発明における弱化ラインの一実施例を示す要部斜視図である。
【図５】本発明において、操作鍔部と重合片との重合状態を示す要部断面図である。
【図６】本発明において、操作鍔部と重合片とを示す要部斜視図である。
【図７】本発明において、操作鍔部と重合片とを示す要部斜視図である。
【図８】本発明において、操作鍔部と重合片との重合状態を示す要部平面図である。
【図９】従来のシール部材の装着状態に不正開封防止帯を装着した要部平面図である。
【符号の説明】
【００３２】
１０  嵌合筒本体
１１  弱化ライン    １１Ａ  第１の弱化ライン
１１Ｂ  第２の弱化ライン
１１Ｃ  第３の弱化ライン
１２  インナーリング
１３  スコア
１４  タブ
１５  注出筒
２０  ヒンジ
３０  上蓋
３１  操作鍔部      ３１Ａ  係止凸部
３１Ｂ  係合部
３２  天板
３３  側壁
３４  リング状突起
４０  不正開封防止帯
４１  係合片        ４１Ａ  テーパー
４２  重合片        ４２Ａ  傾斜面
４２Ｂ  係止凹部
４３  摘み片
【図１】
2006036285.tif 000003
【図２】
2006036285.tif 000004
【図３】
2006036285.tif 000005
【図４】
2006036285.tif 000006
【図５】
2006036285.tif 000007
【図６】
2006036285.tif 000008
【図７】
2006036285.tif 000009
【図８】
2006036285.tif 000010
【図９】
2006036285.tif 000011